(57)【要約】【課題】電流計等のセンサーが取り付けられた基板を内蔵した端子台を製作するには特別な形状を要求されるので、精査費に多大な経費を必要とし、大量生産しなければ安価にすることができなかった。【解決手段】端子台の基本性能部である測定用端子と通電用端子を交互に取り付けられるようにした部分のユニットを単位ユニットの形状で成形し、単位ユニットを、基板を挟んで対称に接合することで基本ユニットが形成され基本ユニットを繰り返し接続することで任意の端子数に組立できるようにした。【選択図】図１
2013140705.tif 000002
【特許請求の範囲】
【請求項１】
制御ボックスと２枠で一組の端子列を備え基板を内接した測定機能付きの端子台において、
前記制御ボックスと前記端子列の係合部を係合して載置するレールと、
前記レールに係合して組立載置される前記端子列の外箱を形成する同一形状で複数の単位ユニットと、
前記レールに係合して組立載置される複数の単位ユニットの端部を押さえるエンドプレートと、
前記レールに係合して組立載置された前記制御ボックス外壁部と前記エンドプレートの外壁部を前記レールに固着する止め金具とを備え、
前記単位ユニットは前記基板を挟んで対称に複数接合することで任意の端子数になるように前記端子列の外箱を形成するようにしたことを特徴とする測定機能付き端子台。
【請求項２】
前記同一形状の単位ユニットはジョイントを用いて単位ユニットの一部を挟んで対称に接合するようにしたことを特徴とする請求項１記載の測定機能付き端子台。
【請求項３】
前記単位ユニットには凹部と凸部が嵌合することにより容易に位置あわせできるようにしたことを特徴とする請求項１記載の測定機能付き端子台。
【請求項４】
前記端子列には端子カバーを取り付けることができることを特徴とする請求項１記載の測定機能付き端子台。
【発明の詳細な説明】
【技術分野】
【０００１】  本発明は一般に電気配線用のコンセントボックス等と呼称される端子台に関するもので、特に電流計や電力計などの測定用センサーが内蔵された端子台に関するものである。
【背景技術】
【０００２】  センサー付きの端子台はすでに様々に提案されている。特に近年節電の観点から、随時どれほどの電力が使用されているのか、細かく知りたいという要請が多くなっている。
各家電製品に消費電力が明記されているのは当然であるが、各家電製品を使用しているときに各々の家電製品がどれだけ電力を消費しているかを、使用中に知ることで消費電力を調整し節電につなげようと言う提案も多く、消費電力が簡便に目視できるようにすることが望まれている。【０００３】  一般消費財だけでなく業務用としての上記要望も多く、各製品の電力量を測定することができるように、端子台に電力量等を容易に取り出すことができるセンサー付き変換機内臓端子台もしくは測定機能付き端子台として、特開平６−２０１７３７が提案されている。【０００４】  特許文献１によるとこれまでの端子台は電流計や電圧計が高価で、大型で重量があり、配線が複雑で設置にかなりの時間を要すると記載している。
そこで前記特許文献１では図７に示すようなセンサー付き変換器内臓端子台９１を提案している。これによると、３箇所の導電金具９２が接続された三相交流をプリント基板９３上のホール素子９４とプリント基板９４の下部に設置されたリングコア９５を用いて電圧及び電流を測定することが明記されている。
【先行技術文献】
【特許文献】
【０００５】
【特許文献１】特開平６−２０１７３７
【発明の概要】
【発明が解決しようとする課題】
【０００６】  特許文献１に記載された提案は、三相交流を主に考慮したもので業務用途が主であり、一般家電などは考慮されていない。
一般家電に利用される為には、安価で提供されると共に、様々な大きさの端子台を揃えねばならず、端子台外枠の金型製作などの費用に多大な経費を必要とした。
【課題を解決するための手段】
【０００７】  本発明では１つのユニットを、基板を挟んで対称に組み合わせることにより、端子台の主要部分が製作できると共に、このユニット構成を連続して長手方向に延長して接続端子を増やすことができるようにしたものである。
ユニットは基板を挟んで対称に組み立てられると共に長手方向に増設できるように構成されている。
【発明の効果】
【０００８】    このことによって、どんなに接続端子が増加しても同一のユニットを使用して任意の端子数に端子台を製作できる。しかも同一のユニットを使用できるので、金型も同一のものを使用することで製造原価を大幅に低減することができ、安価に供給することができる。
【図面の簡単な説明】
【０００９】
【図１】端子台の斜視図である。
【図２】端子台のエンドプレート側の単位ユニットを分解した図である。
【図３】単位ユニットの斜視図である。
【図４】基本ユニットと単位ユニットの図である。
【図５】端子台の制御ボックス側の単位ユニットと制御ボックスを分解した図である。
【図６】基板の斜視図と端子台の断面図である。
【図７】従来の端子ボックスの断面図である。
【発明を実施するための最良の形態】
【００１０】  単位ユニット３０は基板２０を挟んで対称に接合することで、端子台１の基本性能部である測定用端子と通電用端子を交互に取り付けられるようにした基本ユニット２９が形成される。この基本ユニット２９を連結させることによって任意の数の端子列２が形成される。
このことによって端子台１の測定用端子２５と通電用端子２６は交互に配置されることが可能になると共に任意の端子数に組立できる。
端子台１の本体主要部は単位ユニット３０を交互に向き合わせて作成する。従って、単位ユニット３０を大量に生産することで任意の端子数の端子台１を製作することができ、少量多品種の端子台を小資本で品揃えすることができる。
【実施例】
【００１１】  以下、本発明の実施例を説明する。図１は本発明に係る端子台１の斜視図である。この端子台１は大きく分類すると端子列２と制御ボックス３に分かれている。
端子列２は制御ボックス３からＸ１方向に向かって通電用端子２６と測定用端子２５が交互に配列している。
通電用端子２６は端子２６１と端子２６２が通電板２６５によって接続されており、常時通電する。測定用端子２５は端子２５１と端子２５２が離れており両端子２５１，２５２はセンサー１９を介して通電するようになっている。【００１２】  端子２５１，２５２，２６１，２６２の４つが１組の端子となっており、図１の端子台１は合計で８組の端子がＸ１方向に並んでいるものである。
一般的な電気器具は交流、直流を問わず２本の電線で接続されており、本発明もそのような想定で提示している。
但し従来例に示すような三相３線式の場合は本発明に通電用端子２６か測定用端子２５をさらに１つ追加して１つの組み合わせにすればよい。【００１３】  電源からの２本の電線の一方を端子２６１（２６２）に接続し、電気器具の電線の一方を端子２６２（２６１）に接続して通電する。そして電源からの他方の電線を端子２５１（２５２）に接続し電気器具の他方の電線を端子２５２（２５１）に接続して測定する構成になっている。【００１４】  端子台２５１は図２で図示されるように基板２０に固着されており端子２５１に流れた電流は基板２０の裏側に固着されたセンサ１９を経由して端子２５２に流れるように構成されている。すなわち、電源から端子２５１に流れた電流はセンサ１９によって測定され、端子２５２を経由して電気器具に流れ、このときの電流や電力などを測定できる構成になっている。【００１５】  端子２６１は端子２６２と通電板２６５によって接続され通電される。図１の端子台１にはこのような一組の端子２５９が８組取り付けられて端子列２を形成しており、８台の電気器具の測定を可能にしている。【００１６】  このように測定されたデータは、基板２０にプリントされた配線を通して制御ボックス３内に設置された制御基板１８に送信され記憶される。
制御基板１８は測定されたデータを窓１８１，１８２を通して外部のコンピュータ等に送信する。もしくは窓１８１、１８２に表示する。この制御基板１８を挟むようにして制御ボックスケースＡ１８８と制御ボックスケースＢ１８９が組み立てられており、制御ボックス３が形成されている。
制御ボックス３は下部に足（図示しない）が形成されており、レール凹部３７１に係合して単位ユニット３０で組み立てられた基本ユニット２９の始端部を形成している。
以上のような構成で各１組の端子２５９によって家電器具の電力使用状態がわかるようになっている。【００１７】  端子台１の端子列２のＸ１方向の終端部はエンドプレート３５が組み込まれている。エンドプレート３５は止め金具３６によってレール３７に固着される。止め金具３６の足部３６１や単位ユニット３０の足部３０１のような足がエンドプレート３５や制御ボックス３にありレール凹部３７１に係合する事によりＹ方向とＺ方向動かないよう係止される。【００１８】  止め金具３６の足部３６１をレール凹部３７１に係合させたのちレール３７のレール凹部３７１の上部を鏨などでカシメる（鑿などたたいてへこませる）ことによって止め金具３７がＸ方向に移動しないようにすることで端子台１が構成されている。
止め金具３６は始端部がエンドプレート３５の外壁部３５１で、終端部が制御ボックス３の外壁部３５９に当接した状態でレール凹部３７１をカシメることで端子台全体が固着され分解しないように構成されている。【００１９】  端子台１の組立は制御ボックス３に基板２０内蔵した基本ユニット２９によって組み立てられた端子列２とエンドプレート３５を組み込んだものをレール３７のレール凹部３７１にそれぞれの足部（３０１など）を係合させて分解しないようにした後、止め金具３６を固着して端子台１を完成する。【００２０】  図３の単位ユニット３０は中央の基板嵌合Ｒ部３０３に基板Ｒ部２０１を係合させることでＸ方向とＹ方向の位置決めができるようになっている。また、基板２０が基板嵌合部３０２に係合することでＺ方向の位置決めができるようになっている。【００２１】  ２つの単位ユニット３０を向き合わせ互いの接合面３０６の凸部３０４を穴３０５に係合するようにすれば基本ユニット２９が形成されるようになっている。
さらに図４に図示されるように突出部３０７が角部３０８に当接するように組み合わせることで基本ユニット２９はＸ方向に任意の端子数増設することができる構成になっている。【００２２】  なお本実施例では１組の端子２５９が２組作れる単位ユニット３０を提示したが１組の端子２５９が１組だけ作れる単位ユニットも同様な構成で作ることができる。また、三相電源用の３箇所に端子がある構成の単位ユニットも同様な構成で容易に提供することができる。【００２３】  基本ユニット２９は梁部２９１にジョイント２７を挟み込むことによって上部から分解しないようにすることができる。さらに前記したように足部３０１がレール凹部３７１に係合することによって確実な一体化が完成する。ジョイント２７とレール３７によって基本ユニット２９は上下箇所で固着され分解しない構成になっている。このことによって端子列２のケースである基本ユニット２９をより堅牢に作ることができる。【００２４】  基板２０は基板嵌合部３０２によって、Ｚ方向に移動しなくなる。そして基板Ｒ部２０１と基板嵌合部Ｒ３０３が係合することによって基板２０はＸ方向とＹ方向に移動しなくなり、基本ユニット２９と一体化される。
そして基本ユニット２９の状態に組み立てられた単位ユニット３０の端子係合部３０９に端子２５１，２５２が係合し測定用端子２５が形成される。【００２５】  端子２５１，２５２が係合し測定用端子２５が形成された隣の枠の端子係合部３０９には端子２６１，２６２が係合され通電用端子２６が形成される。
なお本実施例の基板２０は測定用端子２５が８個固着されたものを提示したが、測定用端子が一組の端子２５９の基板２０も同様な構成で製作することが可能であり、本出願の実施例と同様に任意の数まで増設することが可能である。【００２６】  制御ボックス３は制御ボックスケースＡ１８８と制御ボックスケースＢ１８９が制御基板１８を内蔵するように組み立てられ、穴１８６．１８７にねじなどを挿入して固着される。
制御ボックス３の下部には足部（図示しない）があり、レール凹部に係合してレール３７上に組み立てられる。【００２７】  制御基板１８は制御ボックス３内にある基板嵌合部３０２と基板嵌合Ｒ部３０３と同様の構造によって固定されている。基板２０と制御基板１８はコネクタ（図示しない）によって情報等がやり取りできるように構成されている。【００２８】  また、制御ボックス３には窓１８１．１８２が形成されている。使用例として窓１８１は端子列２の各端子の測定値を表示させるディスプレイを設置することができる。そして窓１８２は操作スイッチを配置することができる。もしくは窓１８１．１８２にコネクタ端子を配置し、外部のコンピュータなどにデータを送るように設定することができる。【００２９】  制御ボックス３の外壁部３５９はふさがれており止め金具３６が当接しレール３７に固着される。制御ボックス３の端子側部３５８は基本ユニット２９の端部２９３が接合する。
そして基本ユニット２９は任意の個数を連結することができる様になっている。そして基本ユニット２９の終端面にはエンドプレート３５が組み合わされレール凹部３７１に足部３０１が係合されるように組み立てられ、外壁部３５１に止め金具３６が当接しレール３７に固着される。【００３０】  端子列２は通電用端子２６と測定用端子２５が交互に配列して一組の端子２５９が形成されており、端子のボルト類２６９に測定する電気器具の配線を結線して測定される。
単位ユニット３０を組み立てて作成された基本ユニット２９の格子枠２９２は同一形状が形成され、通電用端子２６と測定用端子２５が配列できるように構成されている。【００３１】  基板２０は図６に示すような形状をしており、配線がプリントされている。基板２０には測定用端子２５が固着されており、端子２５１と端子２５２はセンサ１９を介して通電するようになっている。このことによって電流をセンサ１９で測定できる構成になっている。【００３２】  基板２０の側面２０５は単位ユニット３０の基板嵌合部３０２に係合して、Ｚ方向の位置決めがされ、基板Ｒ部２０１が基板嵌合Ｒ部３０３に係合してＸ方向とＹ方向の位置決めがされ、固着される構成になっている。【００３３】  センサー１９で測定されたデータは基板２０にプリントされた配線を経由して制御ボックス３内の制御板１８に送信され、必要に応じて記憶、演算、コンピュータ等への送信、ディスプレイ表示などが行われる。【００３４】  レール３７の両側面に形成されたレール凹部３７１には制御ボックス３の足と端子列の基本ユニット２９の足３０１とエンドプレート３５の足が係合し端子台１が形成される。【００３５】  単位ユニット３０は図３の形状をしておりプラスチック製である。同一形状のものを基板２０を挟んで向かい合わせ状態に組み立てることで図４の基本ユニット２９を形成する。基本ユニット２９内部には基板２０が内蔵され格子枠２９２には測定用端子２５と通電用端子２６が交互に配列される。【００３６】  図４の基本ユニット２９の端部２９３は前後両端とも同一形状をしており、どちらでも制御ボックス３とエンドプレート３５を取り付けることができるように構成されている。【００３７】  止め金具３６は同一形状のものをエンドプレート３５の外壁部３５１と制御ボックス３の外壁部３５９に取り付けることができる。止め金具３６の足部３６１をレール３７の両側に設けられているレール凹部３７１に挿入した足凹部３６２の上部部分のレール３７を鏨などで足凹部３６２に係合するように凸設させて止め金具３６を固定させる。【００３８】  このように構成された単位ユニット３０は基板２０を挟んで基本ユニット２９を対称に接合しレール３７とジョイント２７を用いて一体化することができる。
また、基本ユニット２９は、複数連結することができるので一組の端子２５９を任意の数増設することができる。【００３９】  なお、単位ユニット３０には、凸部３０４と凹部３０５があり、同一形状の単位ユニット３０を向かい合わせて凸部３０４と凹部３０５を嵌合することにより、容易に位置あわせすることができる。【００４０】通電用端子２６と測定用端子２５のそれぞれは端子カバー２８を取り付けられる構成になっている。端子カバー２８の凸部２８１を凹部２８２に係合させることにより端子カバー２８が固着される。これにより、通電用端子２６と測定用端子２５に埃がかかるのを防止すると共に感電事故を防止することができる。【００４１】  端子カバー２８は図１に図示されているように端子枠２９５各々に取り付けるように構成しても良い。また、端子カバー上部２８３部分を一体化して２つの端子枠２９５つまり一組の端子２５９をカバーするように製作しても良い。同様に４つのだけでなく端子列２全体を一体化した端子カバー２８であっても良い。【００４２】  図６の（１）は基板２０の形状を示した図である。基板２０上部には測定用端子２５が固着され、基板２０の下部にセンサー１９が測定用端子２５と通電するように固着されている。
基板２０の側面２０５には基板Ｒ部２０１が構成され、単位ユニット３０の基板嵌合Ｒ部３０３に係合して位置決めされるようになっている。【００４３】  図６の（２）は端子列２の断面図である。図６の（３）は端子列２の表示図であり制御ボックス上面３７５に貼着され、各端子枠２９５が通電用端子２６ないし測定用端子２５であることを明示するものである。またＡのマークは電流計４０を意味するものである。【００４４】  以上のような構成であれば端子列２が増加しても同一の単位ユニット３０を使用して任意の端指数の端子台を製作することができる。
基本ユニットを形成する単位ユニット３０は全て同一の形状をしているので金型も同一のものを使用することができ、製造原価を大幅に低減することができ、安価に供給することができる。
【産業上の利用可能性】
【００４５】  本発明はコンセントやスイッチなど多数の同一形状が繰り返し一列に並ぶような形状のケースに応用することができる。
【符号の説明】
【００４６】１          端子台
２          端子列
３          制御ボックス
１８        制御基板
１８１      窓
１８２      窓
１８６      穴
１８７      穴
１８８      制御ボックスケースＡ
１８９      制御ボックスケースＢ
１９        センサー
２０        基板
２０１      基板Ｒ部
２０５      側面
２５        測定用端子
２５１      端子
２５２      端子
２５９      一組の端子
２６        通電用端子
２６１      端子
２６２      端子
２６５      通電板
２６９      ボルト類
２７        ジョイント
２８        端子カバー
２８１      凸部
２８２      凹部
２９        基本ユニット
２９１      梁部
２９２      格子枠
２９３      端部
２９４      端子枠
３０        単位ユニット
３０１      足部
３０２      基板嵌合部
３０３      基板嵌合Ｒ部
３０４      凸部
３０５      凹部
３０６      接合面
３０７      突出部
３０８      角部
３０９      端子係合部
３５        エンドプレート
３５１      外壁部
３５８      端子側部
３５９      外壁部
３６        止め金具
３６１      足部
３６２      足凹部
３７        レール
３７１      レール凹部
３７５      制御ボックス上面
９１        センサー付き変換器内蔵端子台
９２        導電金具
９３        プリント基板
９４        ホール素子
９５        リングコア
【図１】
2013140705.tif 000003
【図２】
2013140705.tif 000004
【図３】
2013140705.tif 000005
【図４】
2013140705.tif 000006
【図５】
2013140705.tif 000007
【図６】
2013140705.tif 000008
【図７】
2013140705.tif 000009